(57)【要約】【課題】  予め動作モードと、セキュリティレベルとの関係を予め設定しておき、ユーザが選択した動作モードのセキュリティレベルを判定して、判定されたレベルによって、異なる認証情報の入力をユーザに要求する画像形成装置の提供。【解決手段】  ユーザが生体情報を入力する第１認証情報入力手段と、入力された生体情報を基にユーザの認証を行う第１認証手段と、生体情報以外の認証情報を入力する第２認証情報入力手段と、入力された認証情報を基にユーザの認証を行う第２認証手段とを備えた、複数の動作モードを有する画像形成装置であって、設定された動作モードによって、前記画像形成装置の使用許可を、前記第１認証手段による認証のみで行うか、あるいは、前記第１認証手段、及び前記第２認証手段の両方の認証で行うかを判定する判定手段を有することを特徴とする画像形成装置。【選択図】        図４
2006007464.tif 000002
【特許請求の範囲】
【請求項１】
ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
複数の動作モードを有する画像形成装置であって、
ユーザが前記操作表示手段により設定した動作モードによって、
前記画像形成装置の使用許可を、前記第１認証手段による認証のみで行うか、あるいは、前記第１認証手段、及び前記第２認証手段の両方の認証で行うかを判定する判定手段を有することを特徴とする画像形成装置。
【請求項２】
ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
画像形成装置であって、
前記第１認証手段による認証の結果ではユーザを特定できず、複数のユーザが候補となった場合、前記第２認証情報入力手段による認証情報の入力をユーザに求める表示を前記操作表示手段に出力するように制御する制御手段を有することを特徴とする画像形成装置。
【請求項３】
ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
画像形成装置であって、
ユーザに前記第１認証情報入力手段による認証情報の入力を促す表示と、
入力する生体情報を選択するための表示とを、
前記操作表示手段に出力するように制御する制御手段を有することを特徴とする画像形成装置。
【請求項４】
ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
複数の動作モードを有する画像形成装置であって、
前記画像形成装置の各動作モードをセキュリティレベルを基準にして階層化したセキュリティレベルテーブルと、
ユーザが前記操作表示手段により設定した動作モードのセキュリティレベルを、前記セキュリティレベルテーブルを参照することにより決定するセキュリティレベル決定手段と、
前記セキュリティレベル決定手段により決定されたセキュリティレベルによって、
ユーザが前記第１認証情報入力手段から入力しなけらばならない生体情報の数を変更するように制御する制御手段とを、
有することを特徴とする画像形成装置。
【請求項５】
前記第１認証手段が、指紋情報により認証を行う手段であることを特徴とする請求項１〜４のいずれか一項に記載の画像形成装置。
【発明の詳細な説明】
【技術分野】
【０００１】
本発明は、使用者の認証を行うための認証手段を有する複写機、プリンタ、ファックス等の画像形成装置、もしくは、それらの各機能を合わせ持つ画像形成装置に関する。
【背景技術】
【０００２】
カラーコピーを作成するための技術、及び通信技術の進歩により、画像形成装置のコピー画質が向上し、また、装置の多機能化も進んだが、これに伴い、画像形成装置を用いた有価物の偽変造をはじめ、不正行為も増えつつある。
【０００３】
これらの不正行為を防止するために、画像形成装置のユーザを、予め登録しておき、認証手段により登録された人物であると認証されたユーザに対してのみ、装置の使用を許可したり、あるいは、認証されたユーザ毎に使用できる機能を制限できるようにした画像形成装置に関わる提案もある（例えば、特許文献１参照。）。また、有価物の有する画像の特徴点を予め画像形成装置に記憶させておき、この特徴点に類似した画像形成が行われようとした時には、コピーの出力を禁止して、その作業を実行使用としたユーザに関わる記録を保存するという提案もある（例えば、特許文献２参照。）。
【０００４】
登録されているユーザであることを画像形成装置に認証させるための、ユーザが行う認証情報の入力方法としては、ＩＤ番号、パスワードを画像形成装置の入力操作手段であるキーボードにより入力する方法や、予め準備した認証用のカードをカード読み取り機に読ませる方法、人差し指を指紋読み取り装置に接触させて、生体情報を読ませる方法等が一般的に採用されている。
【０００５】
ところが、一般的に、セキュリティを、より高めようとすると、それに並行して使い勝手が悪くなるという弊害も生ずるようになってきた。例えば、ユーザがＩＤ番号やパスワードを忘れたり、認証用のカードを持参しなかった場合には、使用する資格を有するユーザであっても、直ぐには画像形成装置を使用できないことがあり得る。
【０００６】
また、画像形成装置の使用動作形態（使用動作モード）と、考慮しなければならないセキュリティの高さとの関係も一様ではなく、使用動作モードに相応しいレベルのセキュリティ確保手段が望まれている。
【特許文献１】特開２０００−２７６０１８号公報（第１頁）
【特許文献２】特開平６−８６０６２号公報（第２頁）
【発明の開示】
【発明が解決しようとする課題】
【０００７】
本発明は、上述したような状況に鑑みてなされたもので、予め動作モードと、セキュリティレベルとの関係を予め設定しておき、ユーザが選択した動作モードのセキュリティレベルを判定して、判定されたレベルによって、異なる認証情報の入力をユーザに要求する画像形成装置を提供しようとするものである。
【課題を解決するための手段】
【０００８】
上記課題は以下の項目を達成することにより解決される。
（１）ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
複数の動作モードを有する画像形成装置であって、
ユーザが前記操作表示手段により設定した動作モードによって、
前記画像形成装置の使用許可を、前記第１認証手段による認証のみで行うか、あるいは、前記第１認証手段、及び前記第２認証手段の両方の認証で行うかを判定する判定手段を有することを特徴とする画像形成装置。
（２）ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
画像形成装置であって、
前記第１認証手段による認証の結果ではユーザを特定できず、複数のユーザが候補となった場合、前記第２認証情報入力手段による認証情報の入力をユーザに求める表示を前記操作表示手段に出力するように制御する制御手段を有することを特徴とする画像形成装置。
（３）ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
画像形成装置であって、
ユーザに前記第１認証情報入力手段による認証情報の入力を促す表示と、
入力する生体情報を選択するための表示とを、
前記操作表示手段に出力するように制御する制御手段を有することを特徴とする画像形成装置。
（４）ユーザが生体情報を入力する第１認証情報入力手段と、
前記第１認証情報入力手段により入力された生体情報を基にユーザの認証を行う第１認証手段と、
ユーザが生体情報以外の認証情報を入力する第２認証情報入力手段と、
前記第２認証情報入力手段により入力された認証情報を基にユーザの認証を行う第２認証手段と、
情報入出力手段である操作表示手段とを、
備えた、
複数の動作モードを有する画像形成装置であって、
前記画像形成装置の各動作モードをセキュリティレベルを基準にして階層化したセキュリティレベルテーブルと、
ユーザが前記操作表示手段により設定した動作モードのセキュリティレベルを、前記セキュリティレベルテーブルを参照することにより決定するセキュリティレベル決定手段と、
前記セキュリティレベル決定手段により決定されたセキュリティレベルによって、
ユーザが前記第１認証情報入力手段から入力しなけらばならない生体情報の数を変更するように制御する制御手段とを、
有することを特徴とする画像形成装置。
（５）前記第１認証手段が、指紋情報により認証を行う手段であることを特徴とする（１）〜（４）のいずれか一項に記載の画像形成装置。
【発明の効果】
【０００９】
請求項１に記載の発明によれば、セキュリティレベルが低く設定されている動作モードがユーザにより選択された場合には、生体情報、例えば指紋情報によるユーザ認証で画像形成装置を動作させることができるので、ユーザは、ＩＤ番号やパスワードを忘れたり、認証用のカードを持参しなかった場合でも画像形成装置を使用することができる。また、セキュリティレベルが高く設定されている動作モードがユーザにより選択された場合には、生体情報以外の認証情報の入力が求められるので、より厳しいユーザ認証がなされる。
【００１０】
請求項２に記載の発明によれば、入力された生体情報が不完全であった場合や、ユーザが極度に多人数であった場合でも、ユーザ認証を確実に行うことができる。
【００１１】
請求項３に記載の発明によれば、ユーザは、個人の有する生体認証に関わる固有条件に対応させて、生体認証情報を登録したり、認証情報の入力をすることができる。
【００１２】
請求項４に記載の発明によれば、画像形成装置の動作モードがセキュリティレベルを基準にして階層化されており、レベルが高く設定されている動作モードで画像形成装置を動作させるときには、ユーザに厳しいユーザ認証が要求され、レベルが低く設定されている動作モードで画像形成装置を動作させるときには、緩いユーザ認証が要求されるので、セキュリティーの確保がされると同時にユーザの感ずる認証作業の煩わしさが軽減される。
【発明を実施するための最良の形態】
【００１３】
以下、図面に基づき本発明の実施の形態を説明する。
【００１４】
図１は、複写機、プリンタ、ファックスの複合機能を有する画像形成装置の概念図である。
【００１５】
図の画像形成装置ＧＳは、その上部に自動原稿送り装置ＡＤＦを備えている。
【００１６】
自動原稿送り装置ＡＤＦの原稿載置台１０１に載置された原稿Ｄは、一枚ずつに分離され原稿搬送路に送り出され、搬送ドラム１０２により搬送される。搬送されている原稿Ｄの原稿画像は原稿画像読み取り位置ＲＰにて原稿読み取り手段１により、読み取りがなされる。読み取りが終了した原稿Ｄは第１搬送ガイドＧ１、および原稿排出ローラ１０５により原稿排紙台１０７に排出される。
【００１７】
原稿Ｄの裏面の原稿画像も読み取る場合には、表面（第１面）の読み取りを終えた原稿Ｄを第１搬送ガイドＧ１により原稿反転ローラ１０６に導き、原稿Ｄの後端を挟持した状態から反転する前記原稿反転ローラ１０６によって、第１搬送ガイドＧ１、第２搬送ガイドＧ２を経由して、再度、原稿搬送路に送り出す。反転して送り出された原稿Ｄの裏面（第２面）は、表面（第１面）と同様に読み取りがなされた後、原稿排紙台１０７に排出される。
【００１８】
画像形成装置ＧＳは、原稿読み取り手段１、画像書き込み手段２Ｙ、２Ｍ、２Ｃ、２Ｋ、画像形成手段３Ｙ、３Ｍ、３Ｃ、３Ｋ、画像転写手段４、定着手段５、反転排紙手段６、再給紙手段７、給紙手段８、操作表示手段９、第１認証情報入力手段Ａ、第２認証情報入力手段Ｂ、制御手段Ｃ１等から構成される。
【００１９】
原稿読み取り手段１は、原稿画像を原稿読み取り位置ＲＰにてランプＬで照射して、その反射光を第１ミラーユニット１１、第２ミラーユニット１２、レンズ１３によって導き、撮像素子ＣＣＤの受光面に結像させる。撮像素子ＣＣＤにより光電変換された画像信号は、画像読み取り制御部１４にてＡ／Ｄ変換、シェーディング補正、圧縮等の処理が施されて、制御手段Ｃ１のメモリＭ１に原稿画像データとしてストアされる。
【００２０】
メモリＭ１にストアされた前記原稿画像データには、ユーザの指定により、もしくは設定されている条件により適宜な画像処理がなされて、出力画像データが作成される。
【００２１】
画像書き込み手段２Ｙ、２Ｍ、２Ｃ、２Ｋは、前記出力画像データを基に、レーザ光源、ポリゴンミラー、複数のレンズから作られるレーザビームにより、画像形成手段３Ｙ、３Ｍ、３Ｃ、３Ｋの構成要素である感光体３１Ｙ、３１Ｍ、３１Ｃ、３１Ｋの表面に走査露光を行い、感光体３１Ｙ、３１Ｍ、３１Ｃ、３１Ｋに潜像を形成する。
【００２２】
画像形成手段３Ｙは、感光体３１Ｙの周辺に、帯電手段３２Ｙ、現像手段３３Ｙ、第１転写ローラ３４Ｙ、クリーニング手段３５Ｙを配置したもので、画像形成手段３Ｍ、３Ｃ、３Ｋも同様に構成されている。これらの構成は、電子写真方式のカラー画像形成装置に採用されている公知の技術からなる。
【００２３】
感光体３１Ｙ、３１Ｍ、３１Ｃ、３１Ｋ上に形成された潜像は、対応する現像手段３３Ｙ、３３Ｍ、３３Ｃ、３３Ｋにより現像されて、各感光体上にはトナー画像が形成される。
【００２４】
画像転写手段４は、感光体３１Ｙ、３１Ｍ、３１Ｃ、３１Ｋ上に形成された前記トナー画像を第１転写ローラ３５Ｙ、３５Ｍ、３５Ｃ、３５Ｋにより、転写ベルト４１上の所定位置に逐次転写して、前記転写ベルト４１上に転写した前記トナー画像を、給紙手段８から給紙され、給紙ローラ８１によって給紙のタイミングが取られて給送されてきた転写材である用紙Ｐに、第２転写ローラ４２によって転写する。
【００２５】
トナー画像の用紙Ｐへの転写を終えた転写ベルト４１はクリーニング手段４３により、表面が清掃され、次の画像転写に供される。
【００２６】
定着手段５は、対向して配置した加圧ローラと、加熱ローラとにより、トナー画像を担持した用紙Ｐを、加圧加熱して、トナー画像を用紙Ｐへ定着する。
【００２７】
定着手段５による定着処理を終えた用紙Ｐは排紙反転手段６により搬送され、排紙台６１に排紙される。用紙Ｐを表裏反転して排紙する場合には、排紙ガイド６２にて、一旦、用紙Ｐを下方に導き、排紙反転ローラ６３に用紙Ｐの後端を挟持させた後、これを逆転をさせ、排紙ガイド６２により排紙ローラ６４に導き排紙する。
【００２８】
なお、用紙Ｐの裏面にも画像形成を行う場合には、表面の画像定着を終えた用紙Ｐを排紙ガイド６２により下方にある再給紙手段７に搬送し、再給紙反転ローラ７１により後端を挟持させた後、逆送することによって用紙Ｐを反転させて、再給紙搬送路７２に送り出し、裏面への画像形成に供する。
【００２９】
操作表示手段９は、液晶表示パネルと透明電極シートにより構成されるタッチパネルと称されるもので、表示機能と入力機能を有する公知の手段である。
【００３０】
第１認証情報入力手段Ａは、指紋を画像情報として取り込む指紋読み取り手段であり、公知の手段である。
【００３１】
第２認証情報入力手段Ｂは、カードリーダで、磁気カード、ＩＣカードのいずれのカードにも対応できるリーダであり、公知の手段である。なお、前記第２認証情報入力手段Ｂを設けずに、前記操作表示手段９に前記第２認証情報入力手段Ｂの機能を持たせることができる。この場合は、カードからの情報入力に代わり、タッチパネルからのパスワードの入力が行われる。
【００３２】
図２は、画像形成装置の制御関係を示すブロック図である。
【００３３】
画像形成装置ＧＳにある制御手段Ｃ１は、本発明の制御手段、及び判定手段として機能するもので、ＣＰＵ（ＣＰＵ１）、メモリＭ１、Ｉ／Ｏポート、通信用インターフェイス、各手段を駆動制御するための回路等を有するコンピュータシステムである。また、自動原稿送り装置ＡＤＦにある制御手段Ｃ２も、規模は小さいが同様のコンピュータシステムである。上記の制御手段Ｃ１と制御手段Ｃ２とは、第１通信手段Ｔ１にて接続されている。また、第２通信手段Ｔ２により通信用ネットワークに接続されており、他の装置との情報交換が可能となっている。なお、本図では、本発明の説明に直接関係しないブロック、及び、図による説明を必要としないソフトウエアに関わるブロックの記載を省略してある。
【００３４】
図３は、画像形成装置にユーザ名と認証情報とを登録する流れを示すフローチャートである。
【００３５】
ユーザ登録モードがタッチパネルである操作表示手段９により選択されると（ステップＳ１）、操作表示手段９に、ユーザ名を表すＩＤ番号、例えば社員コード等の入力を促すメッセージが表示される（ステップＳ２）。ユーザは表示されたメッセージに従って、操作表示手段９からＩＤ番号を入力する（ステップＳ３）。
【００３６】
ＩＤ番号が入力されると、操作表示手段９には、第１認証手段Ａから所定の生体情報を入力せよ、とのメッセージが出力される（ステップＳ４）。前記生体情報とは、指紋、掌紋、虹彩等の個人の持つ固有の生体情報で、個人認証のために一般的に使用される生体情報で、適宜なものを採用することができるが、本発明の実施の形態の説明では、最も一般的な指紋を前提にして説明をする。この場合、前記メッセージは、例えば、右手の人差し指を、リーダ（第１認証情報入力手段）に乗せて下さい、というような内容となる。
【００３７】
しかしながら、指の欠損等の不都合があり、他の指、例えば左手の人差し指等に変更したいユーザも存在する。この場合、本発明においては、ユーザは操作表示手段９に表示されている生体情報変更ボタンを押す（ステップＳ５：Ｙ）ことにより表示される他の指を選択して、自分の選んだ生体情報を入力することができる（ステップＳ６）。
【００３８】
第１認証情報入力手段Ａから入力された指紋画像は（ステップＳ７）、メモリＭ１に格納されているプログラムである第１認証手段が実行されることにより指紋の特徴点が抽出され、認証処理の際に照合される認証情報に加工され、仮ユーザ登録ファイルの、対応するＩＤ番号の領域に保存される。保存が終了すると（ステップＳ６：Ｙ）、次の所定の指、例えば、右手の中指を第１認証情報入力手段Ａに乗せて下さいというようなメッセージがだされて、ユーザは、再び、最初の入力と同様な操作と、動作を実行する（ステップＳ９：Ｙ）。ステップＳ９からステップＳ５に戻る動作は、複数の生体情報を第１認証ファイルに登録する場合に必要なものである。
【００３９】
第１認証情報入力手段Ａからの入力が終了すると、操作表示手段９に、第２認証情報入力手段Ｂから認証情報を入力せよ、とのメッセージが出力される（ステップＳ１０）。ユーザは、第２認証情報入力手段Ｂ、例えばＩＣカードリーダ等から認証情報を入力する。なお、既に述べたように、パスワードのように操作表示手段９によっても認証情報を入力できる場合には、第２認証情報手段Ｂを特別に設けずに、前記操作表示手段９を第２認証情報入力手段Ｂとしても良い。
【００４０】
第２認証情報入力手段Ｂから入力された（ステップＳ１１）認証情報は、仮ユーザ登録ファイル内の対応するＩＤ番号の領域に保存される（ステップＳ１２：Ｙ）。
【００４１】
仮ユーザ登録ファイルに保存されたＩＤ番号と、それに対応する認証情報は、登録が終了すると、登録日時等の付帯データが付与されて、ユーザ登録ファイルに登録され（ステップＳ１３）、認証処理に供される。また、ユーザにユーザ登録が完了したことを伝えるメッセージを操作表示手段に出力する（ステップＳ１４）。
【００４２】
図４は、ユーザ登録ファイルの概念図である。
【００４３】
第１認証情報として、登録する認証情報（図中（１）〜（Ｎ））は、一つでも良いし、複数でも良い。第２認証情報は通常は、数字、文字から構成される。
【００４４】
図５は、画像形成装置の動作モードを、セキュリティレベルで階層化した、セキュリティーレベルテーブルを概念的に示す図である。
【００４５】
セキュリティレベルは、例で示されているような３レベルに限定する必要はなく、使用環境に適合するような、複数のレベルを設けることができる。
【００４６】
また、選択されたレベルの動作モードを実行するためのユーザ認証を、第１認証情報のみで行うか、複数の認証情報で行うかの設定も、適宜に行うことができる。
【００４７】
図６は、本発明の画像形成装置によるユーザ認証の例の流れを示すフローチャートである。
【００４８】
ユーザが、操作表示手段９により画像形成装置ＧＳの動作モードを選択すると（ステップＳ２１）、判定手段として作動する制御手段Ｃ１のメモリＭ１に格納されている判定プログラムが起動して、セキュリティレベルテーブルが参照され（ステップＳ２２）、選択された動作モードのセキュリティレベルが決定する（ステップＳ２３〜２７）。本例では、セキュリティレベルが最も高い１であった場合には（ステップＳ２３：Ｙ）、ユーザに第１認証情報入力手段Ａから、所定の二つの認証情報、例えば左右の人差し指の指紋等を入力することと、第２認証情報入力手段Ｂから認証情報、例えば、パスワード等を入力することとが要求される（ステップＳ２５）。セキュリティレベルが２であった時には（ステップＳ２４：Ｙ）、第１認証情報入力手段Ａと、第２認証情報入力手段Ｂとから、それぞれ一つずつの認証情報の入力が要求される（ステップＳ２６）。セキュリティレベルが最も低い３であったときには（ステップＳ２４：Ｎ）、第１認証情報入力手段Ａから、一つの認証情報を入力することが要求される（ステップＳ２７）。以上の判定結果に基づき、操作表示手段９には、対応するメッセージが表示される。
【００４９】
メッセージに従って、ユーザが指定された認証情報を入力すると（ステップＳ２８）、メモリＭ１に格納されているプログラムである第１認証手段、及び第２認証手段が実行され、ユーザ登録ファイルに登録された認証情報と前記入力された認証情報とが照合され、ユーザ認証が行われる（ステップＳ２９）。ユーザが認証されなかった場合には（ステップＳ２９：Ｎ）、動作不可のメッセージが操作表示手段９に表示され（ステップＳ３０）、認証された場合には（ステップＳ２９：Ｙ）、動作可のメッセージが表示される（ステップＳ３１）。
【００５０】
さらに、簡単な実施形態としては、動作モードを二つのセキュリティレベルに分け、低いレベルに位置づけられた動作モードが選択された場合には、第１認証情報入力手段Ａからの認証情報の入力を要求し、高いレベルに位置づけられた動作モードが選択されたときには、第１認証情報入力手段Ａ、及び、第２認証情報入力手段Ｂからの入力を要求するようにした判定手段がある。この例は、ユーザが忘れることのない生体認証情報のみでセキュリティレベルの低い動作モードが利用できるという点で便利であり、また、セキュリティレベルの高い動作には、より厳しいユーザ認証が行われるのでセキュリティが確保されるという点で有用なものである。
【００５１】
また、第１認証情報入力手段Ａから入力された生体情報では、ユーザを特定することができない場合がある。例えば、指先に傷ができている場合や、汚れが付着している場合等である。このような場合には、第１認証手段により複数のユーザが認証候補として挙げられることが多い。本実施の形態では、このような場合には、さらに、ユーザに第２認証情報入力手段Ｂからの認証情報の入力を要求して、入力された認証情報からユーザを特定して、誤認証を防止している。
【００５２】
さらなる実用的に有効なユーザ認証に関わる発明例として、本実施の形態では、ユーザが生体認証で使用される部位に欠陥を有している場合、ユーザ登録の説明で既に述べたように、ユーザの希望する部位の生体情報を登録して、認証情報とすることができる。
【００５３】
また、場合によっては、予め複数の部位の生体情報を登録しておき、ユーザ認証に際しては、ユーザが認証に使用する部位を選択するようにもできる。これは、ユーザがユーザ登録後に生体認証に供する部位に不都合が生じた場合に有効なものである。この場合には、図６で示すフローチャートのステップＳ２８は、図７の認証情報の選択、及び入力の流れを示すフローチャートに置き換えられる。
【図面の簡単な説明】
【００５４】
【図１】画像形成装置の概念図である。
【図２】画像形成装置の制御関係を示すブロック図である。
【図３】ユーザ名と認証情報とを登録する流れを示すフローチャートである。
【図４】ユーザ登録ファイルの概念図である。
【図５】セキュリティレベルテーブルの概念図である。
【図６】ユーザ認証の流れを示すフローチャートである。
【図７】認証情報の選択、及び入力の流れを示すフローチャートである。
【符号の説明】
【００５５】
１  原稿読み取り手段
２  画像書き込み手段
３  画像形成手段
４  画像転写手段
５  定着手段
６  反転排紙手段
７  再給紙手段
８  給紙手段
９  操作表示手段
Ａ  第１認証情報入力手段
Ｂ  第２認証情報入力手段
Ｃ１  制御手段
Ｍ１  メモリ
【図１】
2006007464.tif 000003
【図２】
2006007464.tif 000004
【図３】
2006007464.tif 000005
【図４】
2006007464.tif 000006
【図５】
2006007464.tif 000007
【図６】
2006007464.tif 000008
【図７】
2006007464.tif 000009